(57)【特許請求の範囲】
【請求項１】
被取付部に取り付けられ複数のケーブルの端部それぞれが接続された複数の端子を内蔵したコネクタ本体と、
前記コネクタ本体に着脱自在に設けられ、前記コネクタ本体への装着により前記各ケーブルを外部に導出する出口を形成するコネクタカバーと、
前記コネクタカバーの前記出口に着脱自在に係合される係合部、および、該係合部が前記出口に係合した状態で前記出口から導出される前記各ケーブルを所定方向にガイドするガイド部を有するガイド体と
を備え、
前記コネクタカバーに形成された曲面状の壁部と、前記ガイド体に形成され前記壁部の内周面および外周面それぞれを摺動する曲面状の内側挟持片および外側挟持片とを有し、
前記係合部は、前記ガイド体が回動することにより、前記内側挟持片および前記外側挟持片によって前記壁部が挟持されて前記出口に着脱自在に係合されるものであることを特徴とするコネクタ構造。
【発明の詳細な説明】
【技術分野】
【０００１】
本発明は、被取付部に取り付けられたコネクタ本体と、このコネクタ本体に装着されてケーブルを外部に導出する出口を形成するコネクタカバーとを備えるコネクタ構造に関する。
【背景技術】
【０００２】
従来、自動車等の車両にはレバー式コネクタと称される構造のコネクタが設けられ、このレバー式コネクタのコネクタ本体が車両構造物に取り付けられ、コネクタ本体に内蔵された複数の端子に、車両に搭載された複数のケーブルの端部それぞれが接続され、コネクタ本体に着脱自在に設けられたコネクタカバーがコネクタ本体に装着され、コネクタカバーの例えば上部（或いは、下部）に形成された出口から各ケーブルが外部に導出され、導出されたケーブルが所定の方向に引き回されるようになっている（特許文献１参照）。
【先行技術文献】
【特許文献】
【０００３】
【特許文献１】実願昭６１−６５２３５号（実開昭６２−１７６９８４）の全文明細書（段落００１０〜００１８および図１〜図３参照）
【発明の概要】
【発明が解決しようとする課題】
【０００４】
しかし、上記した特許文献１に記載のような従来のコネクタ構造では、車両ごとにコネクタ本体の取付位置や、ケーブルの引き回し方向等の搭載条件が異なり、車両ごとにその搭載条件に合致した出口形状を有するコネクタ本体およびコネクタカバーを作成して準備する必要があり、コストがかさむという問題があった。
【０００５】
本発明は、コネクタ本体およびコネクタカバーは１種類にして、コネクタカバーに装着するガイド体を車両ごとに形状の異なるものを準備するようにしてコストの低減を図れるようにすることを目的とする。
【課題を解決するための手段】
【０００６】
上記した目的を達成するために、本発明のコネクタ構造は、被取付部に取り付けられ複数のケーブルの端部それぞれが接続された複数の端子を内蔵したコネクタ本体と、前記コネクタ本体に着脱自在に設けられ、前記コネクタ本体への装着により前記各ケーブルを外部に導出する出口を形成するコネクタカバーと、前記コネクタカバーの前記出口に着脱自在に係合される係合部、および、該係合部が前記出口に係合した状態で前記出口から導出される前記各ケーブルを所定方向にガイドするガイド部を有するガイド体とを備え、前記コネクタカバーに形成された曲面状の壁部と、前記ガイド体に形成され前記壁部の内周面および外周面それぞれを摺動する曲面状の内側挟持片および外側挟持片とを有し、前記係合部は、前記ガイド体が回動することにより、前記内側挟持片および前記外側挟持片によって前記壁部が挟持されて前記出口に着脱自在に係合されるものであることを特徴としている。
【発明の効果】
【０００７】
本発明によれば、コネクタカバーの前記出口に着脱自在に係合される係合部、および、該係合部がコネクタカバーの出口に係合した状態で該出口から導出される各ケーブルを所定方向にガイドするガイド部を有するガイド体を備えるため、車両ごとにコネクタ本体の取付位置や、ケーブルの引き回し方向等の搭載条件が異なっていても、様々な方向にケーブルを引き回し可能な形状や向きの異なるガイド部を有するガイド体を予め準備し、車両ごとにその搭載条件に合致した形状のガイド部を有するガイド体を選択することにより、当該車両の搭載条件に合致したケーブルの引き回しを実現することが可能になり、従来のように車両ごとの搭載条件に応じたコネクタ本体およびコネクタカバーを準備する場合に比べ、コネクタ本体およびコネクタカバーは１種類にしてケーブル引き回し方向の異なったガイド部を有するガイド体を予め準備しておけばよく、コストの低減を図ることができる。また、ガイド体をコネクタカバーに着脱自在に係合する手段として、内側挟持片および外側挟持片を形成したため、ガイド体をコネクタカバーの出口に装着する際、ガイド体を回動させて、外側挟持片をコネクタカバーの壁部の外周面に沿って摺動させ、内側挟持片を壁部の内周面に沿って摺動させることにより、ガイド体をコネクタカバーに簡単に係合させて装着することができる。
【図面の簡単な説明】
【０００８】
【図１】本発明に係るコネクタ構造の一実施形態の結合前の斜視図である。
【図２】図１の一部を異なる方向から見た斜視図である。
【図３】図１のガイド体の斜視図である。
【図４】図１のガイド体の側面図である。
【発明を実施するための形態】
【０００９】
本発明に係るコネクタ構造の一実施形態について、図１ないし図４を参照して詳細に説明する。
【００１０】
図１、図２に示すように、車両に搭載される本実施形態におけるレバー式コネクタ１は、コネクタ本体２と、コネクタ本体２に着脱自在に装着されるコネクタカバー３と、コネクタカバー３に着脱自在に係合されて装着されるガイド体４とを備える。
【００１１】
コネクタ本体２は、図示しない被取付部である車両構造物に取り付けられ、車両に搭載された複数のケーブル（図示省略）の端部それぞれが接続された複数の端子を内蔵している。また、コネクタカバー３は、支点３ａにおいて図１中の矢印方向に回動自在に枢支されたレバー３ｂの回動によるロック機構のコネクタ本体２への係脱によって、コネクタ本体２に着脱自在に装着される周知の構造を有し、コネクタカバー３の例えば上部には、各ケーブルを外部に導出するための断面半円形状の出口３ｃが設けられ、出口３ｃから導出されたケーブルが所定の方向に引き回されるようになっている。
【００１２】
また、図１、図２に示すように、コネクタカバー３の出口３ｃ部分を成す壁面には、断面半円の曲面状に形成された壁部３ｄが上方に延出して一体形成され、この壁部３ｄの上端には外側に向いたフランジ部３ｅが形成されており、壁部３ｄおよびフランジ部３ｅの断面は逆向きＬ字状をなす。
【００１３】
ガイド体４は、上記したように、コネクタカバー３の出口３ｃに着脱自在に係合されて装着されるが、このガイド体４の基部４ａの下面には、図３、図４に示すように、壁部３ｄと同じ曲率の断面半円形状に形成され、壁部３ｄを内側および外側から挟持することにより壁部３ｄに係合する内側挟持片４ｂおよび外側挟持片４ｃが曲面の周方向に少しずれて一体形成され、コネクタカバー３の出口３ｃから導出される各ケーブルをガイドするために所定方向に向かって延出して断面Ｌ字ガイド部４ｄが一体形成されている。
【００１４】
このとき、内側挟持片４ｂの外周面が壁部３ｄの内周面を摺動し、外側挟持片４ｃの内周面が壁部３ｄの外周面を摺動するが、外側挟持片４ｃの内周面の上端には、壁部３ｄの上端のフランジ部３ｅが嵌挿する溝が形成されており、外側挟持片４ｃの内周面が壁部３ｄの外周面を摺動する際に、外側挟持片４ｃの内周面の溝に壁部３ｄのフランジ部３ｅが嵌挿することで外側挟持片４ｃの摺動のガイドの役目を果たす。また、壁部３ｄのフランジ部３ｅが外側挟持片４ｃの内周面の溝に嵌挿し易いように、外側挟持片４ｃが摺動を開始する位置には、溝に連続する傾斜面が形成されている。
【００１５】
そして、ガイド体４をコネクタカバー３の出口３ｃ部分に配置し、ガイド体４を回動することにより、まず外側挟持片４ｃがコネクタカバー３の壁部３ｄの外周面を摺動し、さらにガイド体４を回動することにより内側挟持片４ｂが壁部３ｄの内周面を摺動して、壁部３ｄが内側挟持片４ｂおよび外側挟持片４ｃにより挟持されることにより、ガイド体４が壁部３ｄに係合し、ガイド体４のガイド部４ｄがケーブルを引き回すべき所定の方向を向いた状態で、ガイド体４がコネクタカバー３に着脱自在に装着される。
【００１６】
このとき、様々な方向にケーブルを引き回し可能な形状や向きの異なるガイド部４ｄを有する多種類のガイド体４を予め準備しておき、車両ごとにその搭載条件に合致した形状のガイド部４ｄを有するガイド体４を選択することにより、当該車両の搭載条件に合致したケーブルの引き回しを行うことができる。
【００１７】
したがって、上記した実施形態によれば、ケーブルの引き回し方向等の搭載条件が異なっていても、様々な方向にケーブルを引き回し可能な形状や向きの異なるガイド部４ｄを有するガイド体４を予め準備し、車両ごとにその搭載条件に合致した形状のガイド部４ｄを有するガイド体４を選択することにより、当該車両の搭載条件に合致したケーブルの引き回しを実現することが可能になり、従来のように車両ごとの搭載条件に応じたコネクタ本体およびコネクタカバーを準備する場合に比べ、コネクタ本体２およびコネクタカバー３は１種類にしてケーブル引き回し方向の異なったガイド部４ｄを有するガイド体４を予め準備しておけばよく、大幅なコストの低減を図ることが可能になる。
【００１８】
また、ガイド体４をコネクタカバー３に着脱自在に係合する手段として、内側挟持片４ｂおよび外側挟持片４ｃをガイド体４の基部４ａの下面に一体形成したため、ガイド体４をコネクタカバー３の出口３ｃに装着する際、ガイド体４を回動させて、外側挟持片４ｃをコネクタカバー３の壁部３ｄの外周面に沿って摺動させ、続いて内側挟持片４ｂを壁部３ｄの内周面に沿って摺動させることにより、ガイド体４をコネクタカバー３に簡単に係合させて装着することができる。
【００１９】
なお、本発明は上記した実施形態に限定されるものではなく、その趣旨を逸脱しない限りにおいて上述したもの以外に種々の変更を行なうことが可能である。
【００２０】
例えば、上記した実施形態では、ガイド体４をコネクタカバー３に着脱自在に係合する手段として、内側挟持片４ｂおよび外側挟持片４ｃをガイド体４の基部４ａの下面に一体形成した例を示したが、ガイド体４をコネクタカバー３に係合する手段はこれに限るものではなく、係合爪と被係合凹部との組み合わせなど、要するにガイド体４をコネクタカバー３に着脱自在に係合できる構成であればよい。
【００２１】
また、上記した実施形態では、レバー式コネクタに本発明のコネクタ構造を適用した場合について説明したが、レバー式コネクタ以外のコネクタ本体およびコネクタカバーを備えたその他のコネクタにも本発明を適用できるのはいうまでもない。
【符号の説明】
【００２２】
１    …レバー式コネクタ
２    …コネクタ本体
３    …コネクタカバー
３ｃ  …出口
４    …ガイド体
４ｂ  …内側挟持片
４ｃ  …外側挟持片
４ｄ  …ガイド部
【図１】
0006664841.tif 000002
【図２】
0006664841.tif 000003
【図３】
0006664841.tif 000004
【図４】
0006664841.tif 000005